(57)【要約】【課題】地点に関する情報を記憶する車載ナビゲーション装置、ナビゲーションシステム及びその制御方法の利便性の向上を図ること。【解決手段】本発明は、目的地を設定するための地点に関する情報である地点情報のうち外部装置が生成した第１の地点情報を外部装置から受信する受信手段と、地点情報のうち第２の地点情報を生成する地点情報生成手段と、第１の地点情報及び第２の地点情報の生成元が外部装置であるか否かを示す判定情報を生成する判定情報生成手段と、第１の地点情報及び第２の地点情報と、判定情報と、を対応付けて記憶する記憶手段と、を具備する車載ナビゲーション装置、ナビゲーションシステム及びその制御方法である。【選択図】図３
2010038589.tif 000002
【特許請求の範囲】
【請求項１】
目的地を設定するための地点に関する情報である地点情報のうち外部装置が生成した第１の地点情報を前記外部装置から受信する受信手段と、
前記地点情報のうち第２の地点情報を生成する地点情報生成手段と、
前記第１の地点情報及び前記第２の地点情報の生成元が外部装置であるか否かを示す判定情報を生成する判定情報生成手段と、
前記第１の地点情報及び前記第２の地点情報と、前記判定情報と、を対応付けて記憶する記憶手段と、
を具備することを特徴とする車載ナビゲーション装置。
【請求項２】
前記第１の地点情報及び前記第２の地点情報を表示するとき、前記第１の地点情報及び前記第２の地点情報のうち少なくとも一方と対応付けられた前記判定情報を示すマークを表示する表示手段を具備することを特徴とする請求項１記載の車載ナビゲーション装置。
【請求項３】
前記車載ナビゲーション装置の電源がオフされるとき、前記判定情報に基づいて、前記第１の地点情報を消去する地点情報消去手段を具備することを特徴とする請求項１記載の車載ナビゲーション装置。
【請求項４】
前記外部装置は、携帯装置であることを特徴とする請求項１から３のうちいずれか一項記載の車載ナビゲーション装置。
【請求項５】
目的地を設定するための地点に関する情報である地点情報のうち第１の地点情報を車載ナビゲーション装置へ送信する送信手段を含む携帯装置と、
前記第１の地点情報を前記携帯装置から受信する受信手段と、前記地点情報のうち第２の地点情報を生成する地点情報生成手段と、前記第１の地点情報及び前記第２の地点情報の生成元が前記携帯装置であるか否かを示す判定情報を生成する判定情報生成手段と、前記第１の地点情報及び前記第２の地点情報と、前記判定情報と、を対応付けて記憶する記憶手段と、を含む前記車載ナビゲーション装置と、
を具備することを特徴とするナビゲーションシステム。
【請求項６】
前記携帯装置は、
前記地点情報のうち第３の地点情報を生成する地点情報生成手段と、
前記第３の地点情報から、前記第３の地点情報の一部である前記第１の地点情報を選択する地点情報選択手段と、を具備することを特徴とする請求項５記載のナビゲーションシステム。
【請求項７】
前記車載ナビゲーション装置は、
前記第１の地点情報及び前記第２の地点情報を表示するとき、前記第１の地点情報及び前記第２の地点情報のうち少なくとも一方と対応付けられた前記判定情報を示すマークを表示する表示手段を具備することを特徴とする請求項５及び６のうちいずれか一項記載のナビゲーションシステム。
【請求項８】
前記車載ナビゲーション装置は、
前記車載ナビゲーション装置の電源がオフされるとき、前記判定情報に基づいて、前記第１の地点情報を消去する消去手段を具備することを特徴とする請求項５及び６のうちいずれか一項記載のナビゲーションシステム。
【請求項９】
車載ナビゲーション装置と携帯装置とを含むナビゲーションシステムの制御方法であって、
前記携帯装置が、目的地を設定するための地点に関する情報である地点情報のうち第１の地点情報を前記車載ナビゲーション装置へ送信するステップと、
前記車載ナビゲーション装置が、前記第１の地点情報を前記携帯装置から受信するステップと、
前記車載ナビゲーション装置が、前記地点情報のうち第２の地点情報を生成するステップと、
前記車載ナビゲーション装置が、前記第１の地点情報及び前記第２の地点情報の生成元が前記携帯装置であるか否かを示す判定情報を生成するステップと、
前記車載ナビゲーション装置が、前記第１の地点情報及び前記第２の地点情報と、前記判定情報と、を対応付けて記憶するステップと、
を含むことを特徴とするナビゲーションシステムの制御方法。
【発明の詳細な説明】
【技術分野】
【０００１】
本発明は、車載ナビゲーション装置、ナビゲーションシステム及びその制御方法に関し、特に地点に関する情報を記憶する車載ナビゲーション装置、ナビゲーションシステム及びその制御方法に関する。
【背景技術】
【０００２】
目的地までのナビゲーションを行う車載ナビゲーション装置が広く用いられている。車載ナビゲーション装置は、ＧＰＳ（Global Positioning System）受信機により現在地を認識し、車両を目的地へと案内する。また、携帯電話等の携帯装置にＧＰＳを備え、ユーザを目的地に案内するナビゲーション装置も用いられている。ユーザが目的地を設定するために、ＰＯＩ（Point Of Interest）情報等の地点に関する情報である地点情報が用いられている。地点情報とは、例えば、地点に関する地点名、位置（緯度、経度、高さ等）、住所、電話番号等の情報等を含む情報である。
【０００３】
特許文献１には、携帯電話の電話帳情報を読み出すことにより、電話帳情報に記憶されている電話番号や住所に対応する地点を登録することができるナビゲーション装置が開示されている。この装置によれば、ユーザが携帯電話を操作して携帯電話の電話帳情報を見ながらナビゲーション装置へ電話番号や住所情報を入力するという操作の煩雑さを改善することができる。特許文献２には、電話帳情報を複数の通信端末機器で共有するシステムが開示されている。このシステムによれば、各通信端末機器に電話帳情報を記憶する大容量のメモリが不要となり、また電話帳情報等の入力処理の手間或いは入力ミスを低減することができる。特許文献３には、コンテンツの情報源を表示する装置が開示されている。
【特許文献１】特開２００６−２３２１１号公報
【特許文献２】特開２００２−４４２２３号公報
【特許文献３】Ｗ０２００５／０２４９６
【発明の開示】
【発明が解決しようとする課題】
【０００４】
車載ナビゲーション装置、及び、携帯電話等の携帯装置は、地点情報を生成して記憶する。車載ナビゲーション装置が、携帯装置から送信された地点情報を受信して記憶する場合、車載ナビゲーション装置には、生成元が車載ナビゲーション装置、及び、携帯装置である地点情報が記憶される。このとき、車載ナビゲーション装置は、地点情報の生成元を識別することができず、生成元が異なる地点情報を同一に扱ってしまう。例えば、車載ナビゲーション装置が地点情報のリストを画面に表示する場合、地点情報を区別することなく表示してしまう。このとき、ユーザは、地点情報を車載ナビゲーション装置で検索したのか、外部装置で検索したのかを容易に識別することができず、不便であった。
【０００５】
本発明は、上記課題に鑑みなされたものであり、地点に関する情報を記憶する車載ナビゲーション装置、ナビゲーションシステム及びその制御方法の利便性の向上を図ることを目的とする。
【課題を解決するための手段】
【０００６】
本車載ナビゲーション装置は、目的地を設定するための地点に関する情報である地点情報のうち外部装置が生成した第１の地点情報を前記外部装置から受信する受信手段と、前記地点情報のうち第２の地点情報を生成する地点情報生成手段と、前記第１の地点情報及び前記第２の地点情報の生成元が外部装置であるか否かを示す判定情報を生成する判定情報生成手段と、前記第１の地点情報及び前記第２の地点情報と、前記判定情報と、を対応付けて記憶する記憶手段と、を具備することを特徴とする。
【０００７】
本ナビゲーションシステムは、目的地を設定するための地点に関する情報である地点情報のうち第１の地点情報を車載ナビゲーション装置へ送信する送信手段を含む携帯装置と、前記第１の地点情報を前記携帯装置から受信する受信手段と、前記地点情報のうち第２の地点情報を生成する地点情報生成手段と、前記第１の地点情報及び前記第２の地点情報の生成元が前記携帯装置であるか否かを示す判定情報を生成する判定情報生成手段と、前記第１の地点情報及び前記第２の地点情報と、前記判定情報と、を対応付けて記憶する記憶手段と、を含む前記車載ナビゲーション装置と、を含む前記車載ナビゲーション装置と、を具備することを特徴とする。
【０００８】
本ナビゲーションシステムの制御方法は、車載ナビゲーション装置と携帯装置とを含むナビゲーションシステムの制御方法であって、前記携帯装置が、目的地を設定するための地点に関する情報である地点情報のうち第１の地点情報を前記車載ナビゲーション装置へ送信するステップと、前記車載ナビゲーション装置が、前記第１の地点情報を前記携帯装置から受信するステップと、前記車載ナビゲーション装置が、前記地点情報のうち第２の地点情報を生成するステップと、前記車載ナビゲーション装置が、前記第１の地点情報及び前記第２の地点情報の生成元が前記携帯装置であるか否かを示す判定情報を生成するステップと、前記車載ナビゲーション装置が、前記第１の地点情報及び前記第２の地点情報と、前記判定情報と、を対応付けて記憶するステップと、を含むことを特徴とする。
【発明の効果】
【０００９】
本構成によれば、車載ナビゲーション装置は、地点情報と、地点情報の生成元が外部装置であるか否かを示す判定情報と、を対応付けて記憶することにより、判定情報に基づいて、地点情報の生成元を識別することができる。よって、生成元が異なる地点情報の扱いを異ならせることができるため、利便性の向上に効果がある。
【発明を実施するための最良の形態】
【００１０】
以下に、図面を用いて実施例について説明する。
【実施例１】
【００１１】
図１は、実施例１に係るナビゲーションシステムのブロック図である。図１を参照に、ナビゲーションシステム１００は車載ナビゲーション装置１０、及び、例えば携帯電話である携帯装置３０を含む。車載ナビゲーション装置１０、及び、携帯装置３０は、目的地を設定するための地点に関する情報である地点情報を生成して記憶する。車載ナビゲーション装置１０と携帯装置３０との間は、例えばＢｌｕｅｔｏｏｔｈ通信等の無線通信５２や赤外線等の光通信を用いて、地点情報等の送受信を行う。
【００１２】
車載ナビゲーション装置１０は、制御部１２、記憶部１４、ＧＰＳ受信部１６、インターフェース（ＩＦ）２４、ヒューマンインターフェース（ＨＭＩ）部１８、電源部２６、表示部２０及び操作部２２を含む。記憶部１４は、例えばハードディスクユニットであり、ＰＯＩ情報や地図に関する情報である地図情報等のデータベースや、生成した地点情報のデータを記憶する。記憶部１４は、制御部１２にＰＯＩ情報や地図情報等のデータを出力する。ＧＰＳ受信部１６はＧＰＳ信号より自車位置を認識し、自車位置に関する情報のデータを制御部１２に出力する。また、ＧＰＳ受信部１６は、ＧＰＳ信号に加え自律航法部（不図示）からの自律航法情報を用いて自車位置を認識することができる。ＨＭＩ部１８は表示部２０及び操作部２２と制御部１２との間のインターフェースである。表示部２０は、例えば液晶画面であり、制御部１２からの信号により、ＰＯＩ情報、地図情報等のデータや、機能を選択するためのメニューリスト等を表示する。操作部２２は、例えば、タッチパネルや釦等であり、制御部１２に操作信号を出力する。例えば、ユーザが、操作部２２を操作して、メニューリストから機能の選択等を行うことができる。ＩＦ２４は、制御部１２から取得した情報を携帯装置３０に送信する。また、携帯装置３０から受信した情報を制御部１２に出力する。電源部２６は、電源を供給する。
【００１３】
携帯装置３０は、制御部３２、記憶部３４、ＧＰＳ受信部３６、ＩＦ４４、ＨＭＩ部３８、表示部４０、操作部４２及び電話ＩＦ４６を含む。電話ＩＦ４６は、移動体通信網５４に接続し制御部３２と外部との情報の送受信を行う。制御部３２は、例えばセンターサーバ（ＣＰ）５０から移動体通信網５４及び電話ＩＦ４６を介し、最新のＰＯＩ情報や地図情報等のデータを取得することができる。その他の各部の機能は車載ナビゲーション装置１０と同様であり説明を省略する。
【００１４】
このように、ナビゲーションシステム１００は、車載ナビゲーション装置１０と携帯装置３０との間で送受信された地点情報、地図情報等により、ユーザを目的地に案内することができる。
【００１５】
以下、図２及び図３を参照に、実施例１に係る携帯装置３０及び車載ナビゲーション装置１０の機能を説明する。図２は、実施例１に係る携帯装置３０の機能ブロックを説明するブロック図である。図３は、実施例１に係る車載ナビゲーション装置１０の機能ブロックを説明するブロック図である。図１に示す符号と同じ符号の説明は省略する。
【００１６】
図２を参照に、携帯装置３０の制御部３２は、操作手段６８、地点情報生成手段６０、記憶手段６４、地点情報選択手段６２、表示手段６５及び送信手段６６として機能する。
【００１７】
操作手段６８は、ユーザによる操作部４２の操作に基づいて、地点情報生成手段６０、記憶手段６４、地点情報選択手段６２、表示手段６５、送信手段６６に対して、処理の実行を指示する。
【００１８】
地点情報生成手段６０は、電話ＩＦ４６を介してＰＯＩ情報４５を取得して、第３の地点情報６７を生成する。第３の地点情報６７は、ＰＯＩ情報、ＰＯＩ情報を取得した日時に関する情報である取得日時情報、及び、ユーザにより選択されたか否かを示す情報である選択有無情報を含む。
【００１９】
記憶手段６４は、地点情報生成手段６０が生成した第３の地点情報６７を、記憶部３４に記憶する。第３の地点情報６７のデータ構造は、例えば、複数の地点情報を並べた構造である。
【００２０】
地点情報選択手段６２は、記憶部３４に記憶された第３の地点情報６７から、第３の地点情報６７の一部である第１の地点情報６９を選択する。第１の地点情報６９のデータ構造は、第３の地点情報６７のデータ構造と同様である。地点情報選択手段６２により、例えば、ユーザは、車で行きたいと思う地点に関する第１の地点情報６９を、第３の地点情報６７から選択することができる。
【００２１】
表示手段６５は、記憶部３４が出力する第３の地点情報６７に対応する画面を表示部４０に表示する。以下、地点情報に対応する画面を、地点リストと記す。
【００２２】
送信手段６６は、記憶部３４が出力する第１の地点情報６９を、ＩＦ４４を介して、車載ナビゲーション装置１０へ送信する。
【００２３】
車載ナビゲーション装置１０の制御部１２は、操作手段８４、受信手段８２、地点情報生成手段７０、判定情報生成手段７２、記憶手段７８、表示手段８０、電源設定管理手段７４及び地点情報消去手段７６として機能する。
【００２４】
操作手段８４は、ユーザによる操作部２２の操作に基づいて、受信手段８２、地点情報生成手段７０、判定情報生成手段７２、記憶手段７８、表示手段８０、電源設定管理手段７４、地点情報消去手段７６に対して、処理の実行を指示する。
【００２５】
受信手段８２は、ＩＦ２４を介して、携帯装置３０から送信された第１の地点情報６９を受信する。
【００２６】
地点情報生成手段７０は、記憶部１４が記憶する例えばＰＯＩ情報データベース８１から、ＰＯＩ情報８３を取得して、第２の地点情報７５を生成する。第２の地点情報７５は、ＰＯＩ情報及びＰＯＩ情報の取得日時情報を含む。第２の地点情報７５のデータ構造は、例えば、複数の地点情報を並べた構造である。
【００２７】
判定情報生成手段７２は、受信手段８２から通知された第１の地点情報６９に基づいて、第１の地点情報６９の生成元が携帯装置３０であるか否かを示す判定情報７３を生成する。また、判定情報生成手段７２は、地点情報生成手段７０から通知された第２の地点情報７５に基づいて、第２の地点情報７５の生成元が携帯装置３０であるか否かを示す判定情報７７を生成する。
【００２８】
記憶手段７８は、第１の地点情報６９と、第１の地点情報６９の生成元が携帯装置３０であるか否かを示す判定情報７３と、を対応付けて記憶部１４に記憶し、及び、第２の地点情報７５と、第２の地点情報７５の生成元が携帯装置３０であるか否かを示す判定情報７７と、を対応付けて、記憶部１４に記憶する。
【００２９】
表示手段８０は、記憶部１４が出力する第１の地点情報６９及び第２の地点情報７５に対応する地点リストを、表示部２０に表示する。また、表示手段８０は、ユーザの操作部２２の操作に基づき、地点リストの項目を並べ替えて表示部２０に表示する。
【００３０】
電源設定管理手段７４は、車載ナビゲーション装置１０の電源スイッチがユーザによりオン及びオフのいずれかに設定されたことを検知して、電源部２６をオン及びオフのいずれかに設定する。電源設定管理手段７４は、電源がオフに設定されたことを検知した場合、地点情報消去手段７６に記憶部１４に記憶された地点情報の消去を指示する。その後、電源部２６をオフに設定する。
【００３１】
地点情報消去手段７６は、電源設定管理手段７４からの指示を受けて、記憶部１４に記憶された判定情報７３に基づいて、第１の地点情報６９を消去する。
【００３２】
以下、実施例１に係る携帯装置３０及び車載ナビゲーション装置１０の動作について説明する。実施例１では、携帯装置３０が、地点Ａ、Ｂ及びＣに関する第３の地点情報６７を記憶し、ユーザにより選択された地点Ａ及びＣに関する第１の地点情報６９を車載ナビゲーション装置１０に送信する場合の動作を説明する。また、車載ナビゲーション装置１０が、地点Ｄ、Ｅ及びＦに関する第２の地点情報７５、及び、携帯装置３０から受信した地点Ａ及びＣに関する第１の地点情報６９を記憶する場合の動作を説明する。
【００３３】
以下、図２、図４、図５及び図６を参照に、実施例１に係る携帯装置３０の動作について説明する。図４は、実施例１に係る携帯装置３０の動作を示すフローチャートである。図５は、記憶部３４が記憶する第３の地点情報６７のデータの一例を示す図である。図６は、第３の地点情報６７のデータに対応する画面表示の一例である。
【００３４】
図２、図４、図５及び図６を参照に、操作手段６８は、ユーザの操作部４２の操作に基づいて、ＰＯＩ情報を検索するか否かを判断する（ステップＳ６０）。ユーザが操作部４２を用いてＰＯＩ検索スイッチをオンに設定すると、操作手段６８はＰＯＩ情報を検索すると判断する。ステップＳ６０がＹＥＳの場合、操作手段６８は、地点情報生成手段６０にＰＯＩ情報の検索を指示する。地点情報生成手段６０は、電話ＩＦ４６を介して、ＰＯＩ情報を取得し（ステップＳ６２）、第３の地点情報６７を生成する（ステップＳ６４）。記憶手段６４は、地点情報生成手段６０から通知された第３の地点情報６７を記憶部３４に記憶し（ステップＳ７２）、ステップＳ６０に戻る。
【００３５】
ステップＳ７２において、記憶部３４に記憶された第３の地点情報６７のデータの一例を、図５（ａ）の８９に示す。第３の地点情報６７のデータ８９は、ＰＯＩ情報が含む地点名９０、ＰＯＩ情報を取得した日時に関する情報である取得日時情報９２、及び、ユーザにより選択されたか否かを示す情報である選択有無情報９４を含む。第３の地点情報６７のデータ８９は、地点Ａ、Ｂ及びＣに関する地点情報９６、９８及び９９を含む。ステップＳ７２において、地点情報９６、９８及び９９は、いずれもユーザにより選択されていない。そのため、図５（ａ）に示すように、地点情報９６、９８及び９９が含む選択有無情報９４は”選択無し”と設定される。
【００３６】
ステップＳ６０がＮＯの場合、操作手段６８は、ユーザの操作部４２の操作に基づいて、第３の地点情報６７から、第３の地点情報６７の一部を選択するか否かを判断する（ステップＳ８４）。ユーザが操作部４２を用いて地点情報の選択スイッチをオンに設定して、第３の地点情報６７から、第３の地点情報６７の一部を選択すると、操作手段６８は、第３の地点情報６７から、第３の地点情報６７の一部を選択すると判断する。ステップＳ８４がＹＥＳの場合、操作手段６８は地点情報選択手段６２に第３の地点情報６７から、第３の地点情報６７の一部の選択を指示する。地点情報選択手段６２は、記憶部３４に記憶された第３の地点情報６７から、ユーザが選択した第３の地点情報６７の一部である第１の地点情報６９を選択し（ステップＳ８６）、ステップＳ６０に戻る。
【００３７】
ステップＳ８６において、記憶部３４に記憶された第３の地点情報６７のデータの一例を、図５（ｂ）の９１に示す。図５（ｂ）に示すように、第１の地点情報６９に対応する地点Ａ及びＣに関する地点情報９６及び９９が含む選択有無情報９４（図中に網掛けで示す。）は、ユーザにより選択されたことを示す”選択有り”という情報に設定される。
【００３８】
ステップＳ８４がＮＯの場合、操作手段６８は、ユーザの操作部４２の操作に基づいて、第３の地点情報６７に対応する地点リストを表示するか否かを判断する（ステップＳ７８）。ユーザが操作部４２を用いて地点リストの表示スイッチをオンに設定すると、操作手段６８は、第３の地点情報６７に対応する地点リストを表示すると判断する。ステップＳ７８がＹＥＳの場合、操作手段６８は表示手段６５に、第３の地点情報６７に対応する地点リストの表示を指示する。表示手段６５は、記憶部３４から第３の地点情報６７を取得する（ステップＳ７９）。表示手段６５は、第３の地点情報６７に対応する地点リストを表示部４０に表示し（ステップＳ８０）、ステップＳ６０に戻る。
【００３９】
ステップＳ８０において、表示部４０に表示される第３の地点情報６７に対応する地点リストの画面の一例を、図６（ａ）及び（ｂ）に示す。
【００４０】
図６（ａ）に示す地点リスト１０２は、図５（ａ）に示す第３の地点情報６７のデータ８９に対応する。図５（ａ）、図６（ａ）を参照に、欄１０４は地点名９０を表示する欄であり、欄１０６は選択有無情報９４に対応するマークを表示する欄である。
【００４１】
図６（ｂ）に示す地点リスト１０３は、図５（ｂ）に示す第３の地点情報６７のデータ９１に対応する。地点リスト１０３の欄１０６のうち、地点Ａ及びＣに対応する欄に、選択有無情報９４が”選択有り”であることを示すマークが表示される。
【００４２】
ステップＳ７８がＮＯの場合、操作手段６８は、ユーザの操作部４２の操作に基づいて、車載ナビゲーション装置１０と接続したか否かを判断する（ステップＳ８８）。ユーザが操作部４２を用いて無線通信５２により携帯装置３０と車載ナビゲーション装置１０とを接続すると、操作手段６８は、車載ナビゲーション装置１０と接続したと判断する。ステップＳ８８がＹＥＳの場合、操作手段６８は送信手段６６に、第１の地点情報６９の送信を指示する。送信手段６６は、記憶部３４に記憶された第１の地点情報６９を車載ナビゲーション装置１０へ送信し（ステップＳ９０）、ステップＳ６０に戻る。以上が、携帯装置３０の動作である。
【００４３】
以下、図３、図７、図８及び図９を参照に、実施例１に係る車載ナビゲーション装置１０の動作について説明する。図７は、実施例１に係る車載ナビゲーション装置１０の動作を示すフローチャートである。図８は、記憶部１４が記憶する第２の地点情報のデータの一例を示す図である。図９は、図８に示す第２の地点情報のデータに対応する画面表示の一例である。
【００４４】
図３、図７、図８及び図９を参照に、操作手段８４は、ユーザの操作部２２の操作に基づいて、ＰＯＩ情報を検索するか否かを判断する（ステップＳ１０２）。ユーザが操作部２２を用いてＰＯＩ検索スイッチをオンに設定すると、操作手段８４はＰＯＩ情報を検索すると判断する。ステップＳ１０２がＹＥＳの場合、操作手段８４は、地点情報生成手段７０にＰＯＩ情報の検索を指示する。地点情報生成手段７０は、記憶部１４に記憶されたＰＯＩ情報データベース８１から、ＰＯＩ情報８３を取得し（ステップＳ１０６）、第２の地点情報７５を生成する（ステップＳ１０８）。判定情報生成手段７２は、地点情報生成手段７０から通知された第２の地点情報７５に基づいて、第２の地点情報７５の生成元が携帯装置３０であるか否かを示す判定情報７７を生成する（ステップＳ１１７）。判定情報７７は、第２の地点情報７５の生成元が携帯装置ではないことを示す情報である。記憶手段７８は、第２の地点情報７５と、判定情報７７と、を対応付けて記憶部１４に記憶し（ステップＳ１１９）、ステップＳ１０２に戻る。
【００４５】
ステップＳ１１９において、記憶部１４に記憶されたデータの一例を、図８（ａ）の１０９に示す。データ１０９は、第２の地点情報７５と判定情報７７とを対応付けて記憶したデータの一例である。データ１０９において、行１１６、１１８及び１２０の地点Ｄ、Ｅ及びＦに関する地点名１１０及び取得日時情報１１２が第２の地点情報７５に対応する。また、行１１６、１１８及び１２０の地点Ｄ、Ｅ及びＦに関する判定情報１１４が、判定情報７７に対応する。第２の地点情報７５の生成元は、携帯装置３０ではない。そのため、図８（ａ）のように、地点Ｄ、Ｅ及びＦに関する判定情報１１４は、”生成元が携帯装置ではない”と設定される。
【００４６】
ステップＳ１０２がＮＯの場合、受信手段８２は、携帯装置３０と接続したか否かを判断する（ステップＳ１０４）。ＩＦ２４が無線通信により携帯装置３０と接続した場合、受信手段８２は携帯装置３０と接続したと判断する。ステップＳ１０４がＹＥＳの場合、受信手段８２は携帯装置３０から送信される第１の地点情報６９を受信する（ステップＳ１３０）。判定情報生成手段７２は、受信手段８２から通知された第１の地点情報６９に基づいて、第１の地点情報６９の生成元が携帯装置３０であるか否かを示す判定情報７３を生成する（ステップＳ１１６）。判定情報７３は、第１の地点情報６９の生成元が携帯装置であることを示す情報である。記憶手段７８は、第１の地点情報６９と、判定情報７３と、を対応付けて記憶部１４に記憶し（ステップＳ１１８）、ステップＳ１０２に戻る。
【００４７】
ステップＳ１１８において、記憶部１４に記憶されたデータの一例を、図８（ｂ）の１１１に示す。データ１１１は、図８（ａ）の１０９のデータに加え、第１の地点情報６９と判定情報７３とを対応付けて記憶した場合のデータの一例である。データ１１１は、取得日時情報の昇順に並べ替えた例である。データ１１１において、行１２２及び１２４の地点Ａ及びＣに関する地点名１１０及び取得日時情報１１２（図中に網掛けで示す。）が、第１の地点情報６９に対応する。また、行１２２及び１２４の地点Ａ及びＣに関する判定情報１１４（図中に網掛けで示す。）が、判定情報７３に対応する。第１の地点情報６９の生成元は、携帯装置３０である。そのため、図８（ｂ）のように、地点Ａ及びＣに関する判定情報１１４は、”生成元が携帯装置である”と設定される。第２の地点情報７５及び判定情報７７については、図８（ａ）のデータ１０９と同様のため、説明を省略する。
【００４８】
ステップＳ１０４がＮＯの場合、操作手段８４は、ユーザの操作部２２の操作に基づいて、記憶部１４に記憶された地点情報と判定情報とに対応する地点リストを表示するか否かを判断する（ステップＳ１２４）。ユーザが操作部２２を用いて地点リストの表示スイッチをオンに設定すると、操作手段８４は、記憶部１４に記憶された地点情報と判定情報とに対応する地点リストを表示すると判断する。ステップＳ１２４がＹＥＳの場合、操作手段８４は表示手段８０に、記憶部１４に記憶された地点情報と判定情報とに対応する地点リストの表示を指示する。表示手段８０は、記憶部１４から、記憶部１４に記憶された第１の地点情報６９、判定情報７３、第２の地点情報７５及び判定情報７７を取得する（ステップＳ１２５）。表示手段８０は、第１の地点情報６９、判定情報７３、第２の地点情報７５及び判定情報７７に対応する地点リストを表示部２０に表示し（ステップＳ１２６）、ステップＳ１０２に戻る。
【００４９】
ステップＳ１２６において、表示部２０に表示される第１の地点情報６９、判定情報７３、第２の地点情報７５及び判定情報７７に対応する地点リストの画面の一例を、図９（ａ）、（ｂ）及び（ｃ）に示す。
【００５０】
図９（ａ）に示す地点リスト１１５は、図８（ａ）に示すデータ１０９に対応する。図８（ａ）、図９（ａ）を参照に、欄１２１は地点名１１０を表示する欄であり、欄１２３は判定情報１１４に対応するマークを表示する欄である。欄１２３には、例えば、判定情報１１４が”生成元が携帯装置である”と設定される場合、地点名１１０と対応付けてマークを表示し、そうでない場合、マークを表示しない。図８（ａ）を参照に、地点Ｄ、Ｅ及びＦに関する判定情報１１４は、”生成元が携帯装置ではない”と設定されるため、図９（ａ）の欄１２３にマークは表示されない。
【００５１】
図９（ｂ）及び（ｃ）に示す地点リスト１１７及び１１９は、図８（ｂ）に示すデータ１１１に対応する。図８（ｂ）を参照に、地点Ａ及びＣに関する判定情報１１４は、”生成元が携帯装置である”と設定されるため、図９（ｂ）及び（ｃ）の地点Ａ及びＣに関する欄１２３に、例えば、携帯電話を模したマーク１２６が表示される。一方、図９（ｂ）及び（ｃ）の地点Ｄ、Ｅ及びＦに関する欄１２３に、マーク１２６は表示されない。図９（ｂ）は、第２の地点情報のデータ１１１を、地点情報が含む取得日時情報の昇順に並べ替えて表示した例である。図９（ｃ）は、第２の地点情報のデータ１１１を、判定情報に基づくマーク１２６の昇順に並び替えて表示した例である。ユーザは、例えば、操作部２２の表示ソートスイッチにより、図９（ｂ）及び（ｃ）に示すように、地点リストに表示された項目を並べ替えることができる。
【００５２】
ステップＳ１２４がＮＯの場合、操作手段８４は、ユーザの操作部２２の操作に基づいて、電源をオフに設定するか否かを判断する（ステップＳ１３２）。ユーザが操作部２２を用いて電源スイッチをオフに設定すると、操作手段８４は、電源をオフに設定すると判断する。ステップＳ１３２がＹＥＳの場合、操作手段８４は、電源設定管理手段７４に電源をオフに設定するように指示する。電源設定管理手段７４は、地点情報消去手段７６に記憶部１４に記憶された地点情報の消去を指示する（ステップＳ１３３）。地点情報消去手段７６は、記憶部１４に記憶された判定情報７３及び判定情報７７に基づいて、第１の地点情報６９及び第２の地点情報７５のうちいずれか一方を消去する（ステップＳ１３４）。例えば、生成元が携帯装置３０である地点情報を消去する場合、”生成元が携帯装置である”という情報である判定情報７３に基づいて、判定情報７３と対応付けられた第１の地点情報６９を消去する。その後、電源設定管理手段７４が電源部２６をオフに設定し（ステップＳ１３６）、ステップＳ１０２に戻る。以上が、車載ナビゲーション装置１０の動作である。
【００５３】
実施例１の車載ナビゲーション装置１０によれば、図７のステップＳ１３０のように、受信手段８２は、外部装置である携帯装置３０が生成した第１の地点情報６９を携帯装置３０から受信することに対応する。ステップＳ１０８のように、地点情報生成手段７０は、第２の地点情報７５を生成することに対応する。ステップＳ１１６及びＳ１１７のように、判定情報生成手段７２が、第１の地点情報６９及び第２の地点情報の生成元が携帯装置３０であるか否かを示す判定情報７３及び７７を生成することに対応する。ステップＳ１１８及びＳ１１９のように、記憶手段７８は、第１の地点情報６９及び第２の地点情報７５と、判定情報７３及び７７と、を対応付けて記憶することに対応する。これにより、車載ナビゲーション装置１０は、判定情報に基づいて、地点情報の生成元を識別することができる。よって、生成元が異なる地点情報の扱いを異ならせることができるため、例えば、以下に示すように、判定情報に基づいて、地点情報を識別しやすく表示することができる。ゆえに、利便性の向上に効果がある。
【００５４】
実施例１の車載ナビゲーション装置１０によれば、図７のステップＳ１２６、図９（ｂ）及び（ｃ）のように、表示手段８０は、第１の地点情報６９及び第２の地点情報７５を表示するとき、第１の地点情報６９と対応付けられた判定情報７３を示すマーク１２６を表示することに対応する。これにより、ユーザは、地点リストに表示された地点情報を、車載ナビゲーション装置で検索したか、外部装置で検索したかのいずれかであるかを容易に識別することができるため、利便性の向上に効果がある。
【００５５】
なお、図７のステップＳ１２６、図９（ｂ）及び（ｃ）においては、表示手段８０は、第１の地点情報６９及び第２の地点情報７５を表示するとき、第１の地点情報６９と対応付けられた判定情報７３を示すマーク１２６を表示する例を説明した。表示手段８０は、第１の地点情報６９及び第２の地点情報７５を表示するとき、第２の地点情報７５と対応付けられた判定情報７７を示すマークを表示してもよい。表示手段８０は、判定情報７３を示すマークと、判定情報７７を示すマークと、を異ならせて表示してもよい。
【００５６】
表示手段８０は、第１の地点情報６９と、第２の地点情報７５と、を別々に表示して、切り換えて表示するようにしてもよい。
【００５７】
車載ナビゲーション装置１０が、複数の携帯装置から送信された第１の地点情報６９を受信して記憶する場合、表示手段８０は、各携帯装置ごとに、第１の地点情報６９を別々に表示して、切り換えて表示するようにしてもよい。
【００５８】
実施例１の車載ナビゲーション装置１０によれば、図７のステップＳ１３４のように、地点情報消去手段７６は、車載ナビゲーション装置１０の電源がオフされるとき、判定情報７３に基づいて、第１の地点情報６９を消去することに対応する。これにより、車載ナビゲーション装置の電源がオフされるとき、外部装置が生成した地点情報を消去し、再度、車載ナビゲーション装置の電源がオンされるとき、外部装置が生成した地点情報を受信することができる。ゆえに、車載ナビゲーション装置は、外部装置が生成して記憶している最新の地点情報を受信して記憶することができるため、利便性の向上に効果がある。
【００５９】
外部装置は、外部装置と接続される装置や、ネットワークを介して外部装置と連携できる装置等の他の装置が生成した地点情報を取得して記憶してもよい。このとき、外部装置は、地点情報と、その地点情報の生成元が他の装置であることを示す付加情報と、を対応付けて記憶して、地点情報及び地点情報に対応する付加情報を車載ナビゲーション装置に送信してもよい。車載ナビゲーション装置の表示手段８０は、第１の地点情報６９、第２の地点情報７５及び他の装置が生成した地点情報をユーザが識別できるように、判定情報７３、７７及び付加情報を示すマークを異ならせて表示してもよい。
【００６０】
実施例１において、車載ナビゲーション装置１０と送受信を行うＩＦを有する外部装置の一例として、携帯装置３０を例に説明した。外部装置は、携帯装置３０でなくともよい。
【００６１】
実施例１のナビゲーションシステムが含む携帯装置３０によれば、図４のステップＳ６４のように、地点情報生成手段６０は、第３の地点情報６７を生成することに対応する。ステップＳ８６のように、地点情報選択手段６２は、第３の地点情報６７から、第３の地点情報６７の一部である第１の地点情報６９を選択することに対応する。これにより、例えば、ユーザは車で行きたい地点情報を予め携帯装置で選択して、選択した地点情報を携帯装置から車載ナビゲーション装置へ送信することができる。ゆえに、利便性の向上に効果がある。
【００６２】
実施例１において、車載ナビゲーション装置１０及び携帯装置３０が記憶する地点情報が、ＰＯＩ情報が含む情報のうち、地点名を含む場合を説明した。ＰＯＩ情報は、地点名、位置（緯度、経度、高さ等）、住所、電話番号等の情報の少なくとも一つを含む情報である。そのため、地点情報が、ＰＯＩ情報が含む情報のうち、地点名以外の情報を含んでもよい。
【００６３】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００６４】
【図１】図１は、実施例１に係るナビゲーションシステムの構成を示すブロック図である。
【図２】図２は、実施例１に係る携帯装置の機能ブロック図である。
【図３】図３は、実施例１に係る車載ナビゲーション装置の機能ブロック図である。
【図４】図４は、実施例１に係る携帯装置の処理を示すフローチャートである。
【図５】図５（ａ）から図５（ｂ）は、実施例１に係る携帯装置が記憶する第３の地点情報のデータを例示する図である。
【図６】図６（ａ）から図６（ｂ）は、実施例１に係る携帯装置が表示する第３の地点情報の画面を例示する図である。
【図７】図７は、実施例１に係る車載ナビゲーション装置の処理を示すフローチャートである。
【図８】図８（ａ）から図８（ｂ）は、実施例１に係る車載ナビゲーション装置が記憶する第２の地点情報のデータを例示する図である。
【図９】図９（ａ）から図９（ｃ）は、実施例１に係る車載ナビゲーション装置が表示する第２の地点情報の画面を例示する図である。
【符号の説明】
【００６５】
１０          車載ナビゲーション装置
３０          携帯装置
６９          第１の地点情報
７０          地点情報生成手段
７２          判定情報生成手段
７３          判定情報
７５          第２の地点情報
７７          判定情報
７８          記憶手段
８２          受信手段
１００        ナビゲーションシステム
【図１】
2010038589.tif 000003
【図２】
2010038589.tif 000004
【図３】
2010038589.tif 000005
【図４】
2010038589.tif 000006
【図５】
2010038589.tif 000007
【図６】
2010038589.tif 000008
【図７】
2010038589.tif 000009
【図８】
2010038589.tif 000010
【図９】
2010038589.tif 000011